(57)【要約】【課題】同一の遊戯装置でありながら形状を変化させることにより幼児の成長に対応させることができる幼児用遊戯装置を提供すること。【解決手段】フレーム体Ａと該フレーム体Ａに着脱可能なマットＢとの組合せからなり、上記フレーム体Ａはベースフレーム１と上記マットＢを取り付ける取付けフレーム２とを有し、上記取付けフレーム２は下端が上記ベースフレーム１に回動可能に軸支されるとともに、２本の縦フレーム５の間に複数の横フレーム７を所定間隔をおいて配置し、上記マットＢは該マットＢを上記フレーム体Ａに取り付けるための取着手段５０を備えるとともに、幼児の操作を検出する検出部Ｃと、該検出部Ｃの検出結果により作動する作動部Ｄとを備え、上記マットＢは幼児の成長に合わせて横フレーム７に取り付ける位置を変えられるようにした。【選択図】        図１
2004216012.tif 000002
【特許請求の範囲】
【請求項１】
フレーム体と該フレーム体に着脱可能なマットとの組合せからなる、以下の要件を備えることを特徴とする幼児用遊戯装置。
（イ）上記フレーム体はベースフレームと上記マットを取り付ける取付けフレームとを有し、上記取付けフレームの下端は上記ベースフレームに回動可能に軸支されていること
（ロ）上記支持フレームは２本の縦フレームの間に複数の横フレームを所定間隔をおいて配置したこと
（ハ）上記マットは該マットを上記支持フレームに取り付けるための取着手段を備えるとともに、幼児の操作を検出する検出部と、該検出部の検出結果により作動する作動部とを備えること
（ニ）上記マットは幼児の成長に合わせて横フレームに取り付ける位置を変えられること
【請求項２】
前記フレーム体の移動又は固定使用を選択する選択手段を前記フレーム体に設けた、請求項１記載の幼児用遊戯装置。
【発明の詳細な説明】
【０００１】
【発明の属する技術分野】
本発明は、幼児の成長に合わせて遊び方を変えることができる幼児用遊戯装置に関する。
【０００２】
【従来の技術】
従来、幼児が遊ぶ装置として幼児用の遊戯装置が提案され実用に供されている。この遊戯装置はプレイジムに様々な玩具等の部材を取り付けて乳児期から幼児期まで遊ぶことができるようにしたものである（例えば、特許文献１参照）。
【０００３】
【特許文献１】
特開平０９−８４９６４号公報（第３頁、図１）
【０００４】
【発明が解決しようとする課題】
しかしながら、上述の遊戯装置はプレイジムに取り付ける部材を変えることにより幼児の成長に合わせるものであり、部材を幼児の成長に合わせて対応させなければならない問題があった。
【０００５】
本発明は上記問題点を解消し、同一の遊戯装置でありながら状態を変化させることにより幼児の成長に対応させて使用することができる幼児用遊戯装置を提供することをその課題とする。
【０００６】
【課題を解決するための手段】
前記課題を解決するため、本発明に係る幼児用遊戯装置は、フレーム体と該フレーム体に着脱可能なマットとの組合せからなる、以下の要件を備えることを特徴とする。
（イ）上記フレーム体はベースフレームと上記マットを取り付ける取付けフレームとを有し、上記取付けフレームの下端は上記ベースフレームに回動可能に軸支されていること
（ロ）上記支持フレームは２本の縦フレームの間に複数の横フレームを所定間隔をおいて配置したこと
（ハ）上記マットは該マットを上記支持フレームに取り付けるための取着手段を備えるとともに、幼児の操作を検出する検出部と、該検出部の検出結果により作動する作動部とを備えること
（ニ）上記マットは幼児の成長に合わせて横フレームに取り付ける位置を変えられること
【０００７】
なお、前記マットは前記取付けフレームに取り付ける位置を幼児の成長に合わせて変えられるようにすればよい。
【０００８】
また、前記フレーム体の移動又は固定使用を選択する選択手段を前記フレーム体に設け、遊戯玩具を固定して使用するか押し車として移動させることができるかの選択ができるようにしてもよい。
【０００９】
【発明の実施の形態】
図１は、本発明に係る幼児用遊戯装置を示し、この幼児用遊戯装置はフレーム体Ａとマット体Ｂとの組合せからなるもので、フレーム体Ａはベースフレーム１とマット体Ｂを取り付ける支持フレーム２とから構成されている。
【００１０】
図２（ａ）（ｂ）、図３に示すように、ベースフレーム１は後端に車輪（以下、後輪という）が取り付けられ、前端は支持フレーム２の下端に上下方向に回動可能に取り付けられるとともに、支持フレーム２を０度と６５度との２つのポジションで固定できるようにロック機構が設けてある。このロック機構はベースフレーム１の側面から突出したレバー４を前後方向に操作することにより内側に突出した嵌合突部５が後述する縦フレーム５（５ａ、５ｂ）にそれぞれ形成された嵌合凹部１７、１８にロック又はロック解除ができるようになっている。
【００１１】
支持フレーム２は２本の縦フレーム５ａ、５ｂの間に横フレーム７（７ａ、７ｂ、７ｃ）が所定間隔をおいて取り付けられるとともに下部には支え板１０が取り付けられている。そして縦フレーム５の下端の外側面にはそれぞれ車輪（以下、前輪という）１１が支軸１５に取り付けられ、外側からベースフレーム１を支軸１６に回動可能に取り付けられるとともに、ベースフレーム１の嵌合突部５が係脱する嵌合凹部１７、１８が形成されている。さらに、縦フレーム５にはフレーム体Ａの移動又は固定使用を選択する選択手段が設けてある。この選択手段は縦フレーム５の内側下部に上下に回動可能に取り付けられた滑り止め部材１２で構成されている。
【００１２】
この滑り止め部材１２は下方に回動した時には先端に取り付けられたゴム１２ａが接地するとともに、前輪１１が接地面から離れるのでフレーム体Ａを接地面に固定した状態にすることができる。
【００１３】
一方、滑り止め部材１２を上方に回動したときには（図２（ｂ）参照）、前輪１１が接地し後輪３と前輪１１とでフレーム体Ａを移動させることができるようになっている。このとき、滑り止め部材１２のゴム１２ａはフレーム体Ａの前面に位置しているので壁や家具に突き当たっても傷をつけるようなトラブルを回避することができる。
【００１４】
支持フレーム２は下方に回動した時には、図４に示すように、支持フレーム２とベースフレーム１とが横並びになり全体としてフラットになるので保管時の取り扱いを容易にすることができ、上方に回動したときにはベースフレーム１の前後端と支持フレーム２の上端とで略三角形状をなし、フレーム体Ａが安定した状態になる。
【００１５】
マット体Ｂは内部にクッション材を包み込んだ略長方形状で、幼児の操作を検出する検出部Ｃと、検出部Ｃの検出結果により作動する作動部Ｄとを備えている。この検出部Ｃは後述するステップ部２１内に配置されたスイッチ２２、２３と、プレイボード２６内に配置されたラバースイッチ３８及びリーフスイッチ４３とで構成され、作動部Ｄは表示装置２４とスピーカ２５とで構成されている。
【００１６】
そして、マット体Ｂの前面中央には小物入れのポケット２０が設けられ、前面下部にはウレタンフォームを内包したステップ部２１が設けてある。このステップ部２１の内部には押圧を感知するスイッチ２２、２３が配置され、スイッチ２２、２３の配置された部分のステップ部２１の表面には足型が表示されている。
【００１７】
この足型の部分を押圧するとスイッチ２２又はスイッチ２３が作動し、表示装置２４の表示が＋１されるとともに、スピーカ２５から押圧を感知したことを表示する効果音（例えば、ピローン、ワン、ゲコ、ボヨーンなど）がランダムに選択されて出力されるようになっている。
【００１８】
そして、マット体Ｂの上部にはプレイボード２６が配置されている。このプレイボード２６は、図５（ａ）、図６に示すように上部に２桁の７セグメントのＬＥＤ又は液晶ディスプレイからなる表示装置２４と、スピーカ２５とが配置され中央には操作部が配置されている。この操作部はボタン２７を押し操作する第１の操作部２８と、球体３０を回転する第２の操作部３１と、ノブ３２を引き操作する第３の操作部３３とが配置されている。
【００１９】
第１の操作部２８は、図５（ａ）に示すように、円形のボタン２７の支軸３５がボード本体２９に前後動可能に支持されるとともにスプリング３６で常に前方に突出するようになっており、スプリング３６に抗してボタン２７を押圧した場合はボタン２７の裏面に突出形成された係合軸３７がラバースイッチ３８を押圧し、これをＯＮするようになっている。ラバースイッチ３８の作動状態は図示しない制御部で認識され、スピーカ２５から効果音やメロディが出力される。
【００２０】
第２の操作部３１は、図５（ｂ）に示すように、球体３０の両側部から突出した軸３９がボード本体２９に立設した支持板４０に支持されて回転させることができるようになっている。
【００２１】
第３の操作部３３は、図５（ｂ）に示すように、球状のノブ３２の支軸３４がボード本体２９に前後動可能に支持されるとともにスプリング４１で常に後方に引き込まれるように付勢され、スプリング４１に抗してノブ３２を引き操作した場合は、支軸３４の先端に設けられた係合板４２がリーフスイッチ４３をＯＮするようになっている。リーフスイッチ４３の作動状態は、上述のラバースイッチ３８と同様に、図示しない制御部で認識され、スピーカ２５から効果音やメロディが出力される。
【００２２】
なお、第１の操作部２８と第３の操作部３３とを同時に操作した場合は、少しでも早く作動したスイッチが有効になるようにしてもよいし、所定時間内に両方のスイッチの作動が認識された場合は、スイッチが単独で作動した場合と異なる効果音やメロディが出力されるようにしてもよい。
【００２３】
そして、マット体Ｂの上下左右にはそれぞれフレーム体Ａに取り付けるための取付手段５０が設けてある。この取付手段５０は両端に互いに係止しあうベルクロ５１、５２が取り付けられたベルトで構成され、ベルト（取付手段）５０を支持フレーム２の縦フレーム５と横フレーム７とに巻き付けベルクロ５１、５２で係止することにより、マット体Ｂを支持フレーム２に取り付けることができるようになっている。このマット体Ｂは、ベルト５０ａをどの位置の横フレームに取り付けるかにより、マット体Ｂの位置を変えることができるようになっている。
【００２４】
次に、上記幼児遊戯装置の使用態様について説明する。
【００２５】
図７（ａ）に示すように、１段目の横フレーム７ａにベルト５０ａを、縦フレーム５にベルト５０ｂを巻きつけてマット体Ｂをフレーム体Ａに取り付けた場合は、マット体Ｂのステップ部２１が支え板１０の前面に位置しているのでステップ部２１を押圧すればスイッチ２２、２３を作動させることができるので、生後３ヶ月程度の幼児が寝た状態で足でステップ部２１を押すことができるので、寝た状態の幼児が足をばたばたさせるとスイッチ２２、２３がＯＮ／ＯＦＦしてスピーカ２５から効果音が出力されるとともにカウンタがカウントアップされるので、離れた位置で効果音を母親が聞くことにより幼児が運動しているか否か否かが確認できるとともに、表示装置２４に表示されたカウントを見ることにより幼児の運動量を母親が確認することができる。
【００２６】
また、図７（ｂ）に示すように、２段目の横フレーム７ｂにベルト５０ａを、縦フレーム５にベルト５０ｂを巻きつけてマット体Ｂをフレーム体Ａに取り付けた場合は、生後６ヶ月程度の幼児であればお座りした状態で両手でプレイボード２６に触れることができるので、第１の操作部２８、第２の操作部３１、第３の操作部３３を操作することができ、第１の操作部２８、第３の操作部３３の操作時にはメロディや効果音がスピーカ２５出力される。
【００２７】
そして、図８（ａ）に示すように、ベルト５０ａを３段目の横フレーム７ｃに巻き付け、ベルト５０ｂをベースフレーム１に巻きつけた場合は、生後１０ヶ月程度のつかまり立ちができる程度に成長した幼児が最上段の横フレーム７ａを握って立った状態で足でステップ部２１を踏み動作することができるので、ステップ部２１を踏むことによりスピーカ２５から効果音が出力されるとともにカウンタがカウントアップされ表示装置２４に足踏み回数が表示される。
【００２８】
さらに、滑り止め１２を上方に回動して、前輪１１が接地する状態にすると遊戯装置は前輪１１と後輪３とで自由に移動させることができ、図８（ｂ）に示すように、押し車として幼児の歩行を補助することができ、幼児の歩行訓練を援助することができる。なお、この時はマット体Ｂは特に使用しないのでフレーム体Ａ単独で使用しているが、マット体Ｂを取り付けた状態で使用しても構わない。
【００２９】
上述のように、幼児の成長に対応してマット体Ｂの取り付け位置を変えたり、滑り止め１２の位置を変えてフレーム体Ａを固定又は移動できるようにすることにより、他の器材に交換したり他の器材を付加したりすること無く生後３ヶ月程度の乳幼児から歩き始めた１〜２歳児に対応させて遊ばせることができ、多様性のある遊戯装置を提供することができる。
【００３０】
【発明の効果】
請求項１の発明によれば、フレーム体に取り付けるマット体の位置を変えることができ、生後３ヶ月程度の乳幼児から伝い歩きができる幼児まで対応することができ、幼児の成長に合わせて他の器材を付加したり交換したりする必要が無く多様性のある幼児用遊戯装置を実現することができる。
【００３１】
また、検出部が幼児の操作を検出すると作動部が作動して効果音やメロディを出力するので幼児が関心を示して遊戯装置で遊ぶ時間を増やすことができるとともに、作動部が検出部の検出回数を表示することにより幼児の運動量を母親が確認することができる。
【００３２】
請求項２の発明によれば、フレーム体の移動又は固定仕様を選択する選択手段をフレーム体に設けたので、移動仕様を選択した場合は歩行できる幼児の押し車として機能させることができるので、別途押し車を購入することなく押し車に転用することができ、幅広い成長度合いに対応させることができる。
【図面の簡単な説明】
【図１】本発明に係る、幼児用遊戯装置の構成を説明する斜視図
【図２】（ａ）（ｂ）はフレーム体の平面図及び側面図
【図３】フレーム体の分解斜視図
【図４】支持フレームの側面図
【図５】（ａ）（ｂ）はプレイボードの正面図及び要部断面図
【図６】プレイボードの斜視図
【図７】（ａ）（ｂ）は幼児用遊戯装置の使用態様を示す斜視図
【図８】（ａ）（ｂ）は幼児用遊戯装置の使用態様を示す斜視図
【符号の説明】
１  ベースフレーム
２  支持フレーム
５  縦フレーム
７  横フレーム
５０  取付手段
Ａ  フレーム体
Ｂ  マット体
Ｃ  検出部
Ｄ  作動部
【図１】
2004216012.tif 000003
【図２】
2004216012.tif 000004
【図３】
2004216012.tif 000005
【図４】
2004216012.tif 000006
【図５】
2004216012.tif 000007
【図６】
2004216012.tif 000008
【図７】
2004216012.tif 000009
【図８】
2004216012.tif 000010